(57)【特許請求の範囲】
【請求項１】
第１の抵抗（２）、該第１の抵抗（２）に近接して設けた常閉の第２のバイメタルスイッチ（５）、開閉動作をするグロー管（３）および常閉の第１のバイメタルスイッチ（４）が互いに直列接続された直列回路を発光管（１）に並列に接続するとともに、ランプ始動不良時には第２のバイメタルスイッチ（５）が動作しグロー管（３）の一方が直列回路から切り離され、第２の抵抗（６）の一方に接続されることにより、第１の抵抗（２）、第２のバイメタルスイッチ（５）、第２の抵抗（６）、第１のバイメタルスイッチ（４）が互いに直列接続されるように構成したことを特徴とする始動器を内蔵した高圧金属蒸気放電灯。
【請求項２】
第１の抵抗（２）、該第１の抵抗（２）に近接して設けた常閉の第２のバイメタルスイッチ（５）、開閉動作をするグロー管（３）、常閉の第１のバイメタルスイッチ（４）およびタングステンフィラメント（７）が互いに直列接続された直列回路を発光管（１）に並列に接続するとともに、第２のバイメタルスイッチ（５）が動作した場合にはグロー管（３）の一方が直列回路から切り離され、第２の抵抗（６）の一方に接続されることにより、第１の抵抗（２）、第２のバイメタルスイッチ（５）、第２の抵抗（６）、第１のバイメタルスイッチ（４）、タングステンフィラメント（７）が互いに直列接続されるように構成したことを特徴とする始動器を内蔵した高圧金属蒸気放電灯。
【発明の詳細な説明】
【０００１】
【発明の属する技術分野】
本発明は始動器を内蔵した高圧金属蒸気放電灯の改良に関する。
【０００２】
【従来の技術】
透光性セラミック管にナトリウム金属を封入した高圧ナトリウムランプや石英製の発光管に金属ハロゲン化物を封入したメタルハライドランプ等の高圧金属蒸気放電灯は照明分野その他にそれぞれの特徴を生かして広く用いられている。また、安価な水銀灯安定器で点灯使用できるようにするために始動器を内蔵した高圧金属蒸気放電灯も種々提案され使用されている。
【０００３】
図３は従来の始動器内蔵高圧金属蒸気放電灯の一例を示す回路図であり、１は発光管、２は抵抗、３は開閉動作をするグロー管、４は常閉のバイメタルスイッチである。抵抗２、グロー管３、バイメタルスイッチ４は互いに直列接続され、この直列回路が発光管１に並列接続されて始動回路を構成している。
【０００４】
このような始動器内蔵の高圧金属蒸気放電灯を安定器（チョークコイル形安定器など）を介して電源に接続すると、抵抗２、グロー管３、バイメタルスイッチ４からなる直列回路に電流が流れ、グロー管３の開閉動作により電流をオン・オフし、この過度現象により安定器に誘起されるパルス電圧によりランプを始動点灯させる。ランプ点灯中はその熱によりバイメタルスイッチ４が開き始動回路は切り離されグロー管への電流は遮断される。
【０００５】
【発明が解決しようとする課題】
しかしながら、このような従来の始動器を内蔵した高圧金属蒸気放電灯では、ランプ使用中に、発光管の電極エミッターの消耗等により始動不良になると、ランプに電源が印加されている限りランプに内蔵されている始動器が動作を続け、発生した高電圧パルスにより、（イ）安定器、器具配線の絶縁破壊・劣化による故障と短寿命化、（ロ）ノイズによる電波障害等の問題があった。
【０００６】
本発明は、このような問題点を解消した、寿命の優れた高圧金属蒸気放電灯を提供するものである。
【０００７】
【課題を解決するための手段】
本発明高圧金属蒸気放電灯は、第１の抵抗（２）、該第１の抵抗（２）に近接して設けた常閉の第２のバイメタルスイッチ（５）、開閉動作をするグロー管（３）および常閉の第１のバイメタルスイッチ（４）が互いに直列接続された直列回路を発光管（１）に並列に接続するとともに、ランプ始動不良時には第２のバイメタルスイッチ（５）が動作しグロー管（３）の一方が直列回路から切り離され、第２の抵抗（６）の一方に接続されることにより、第１の抵抗（２）、第２のバイメタルスイッチ（５）、第２の抵抗（６）、第１のバイメタルスイッチ（４）が互いに直列接続されるように構成したことを特徴とする。さらに、この直列回路にタングステンフィラメント（７）を接続したことを特徴とする。
【０００８】
【発明の実施の形態】
本発明による高圧金属蒸気放電灯は、抵抗２に近接して設けた常閉のバイメタルスイッチ５を付加接続するとともに、バイメタルスイッチ５が動作した場合にはグロー管３が切り離され、別の付加抵抗６を接続して、発光管の始動不良時でもグロー管の開閉動作がいつまでも持続しないようにする。さらに、タングステンフィラメントを付加することにより、封入物が外球内に漏れ、始動はするが安定点灯には達しないような場合にもフィラメントと対極との放電によりフィラメントを溶断してグロー管の開閉動作を停止する。このようにすることにより、発光管始動不良時や発光管封入物漏れによる問題を効果的に解消することができる。
【０００９】
【実施例】
以下本発明を実施例に基づいて説明する。図１は本発明高圧金属蒸気放電灯の一実施例を示す回路図であり、１は発光管、２は抵抗、３は開閉動作をするグロー管、４は常閉のバイメタルスイッチ、５は抵抗２に近接して設けた常閉のバイメタルスイッチである。抵抗２、バイメタルスイッチ５、グロー管３、バイメタルスイッチ４は互いに直列接続され、この直列回路が発光管１に並列接続されて始動回路を構成している。６は抵抗であり、常閉のバイメタルスイッチ５が動作した場合にはグロー管の一方が直列回路から切り離され、抵抗６の一方に接続されることにより、抵抗２、バイメタルスイッチ５、抵抗６、バイメタルスイッチ４が互いに直列接続されるように構成され、この状態ではグロー管の開閉動作は行われない。
【００１０】
このような始動器内蔵の高圧金属蒸気放電灯を安定器（チョークコイル形安定器など）を介して電源に接続すると、抵抗２、バイメタルスイッチ５、グロー管３、バイメタルスイッチ４からなる直列回路に電流が流れ、グロー管３の開閉動作により電流をオン・オフし、この過度現象により安定器に誘起されるパルス電圧によりランプを始動点灯させる。ランプ点灯中はその熱によりバイメタルスイッチ４が開き始動回路は切り離されグロー管への電流は遮断される。
【００１１】
また、発光管が始動不良の状態でランプに安定器より電位が印加された場合は、グロー管３はしばらくは動作し続けるが、抵抗２が発熱し、これに近接して設けられたバイメタルスイッチ５が数十秒後には開きグロー管の動作は停止する。さらに抵抗２の余熱でバイメタルが開き抵抗６に接続される。抵抗６に電流が流れて発熱し、バイメタルスイッチ５と抵抗６との接続が維持され、グロー管は回路から切り離された状態となり、以降はグロー管は動作しない。電源を切れば回路は元の状態に自動的に復帰する。
【００１２】
抵抗６としては、ランプ不点灯時の消費電力を低減するために３キロオーム以上の抵抗、好ましくは３〜１０キロオームの炭素被膜抵抗が好ましい。
【００１３】
一般的にランプの不点や寿命現象には、上述のような発光管の始動電圧の上昇以外に、発光管の封入物漏れがあり、この場合は、始動はするが安定点灯には達しないことがあり、安定器に過電流が流れ続ける結果となる。
【００１４】
図２は本発明高圧金属蒸気放電灯の他の一実施例を示す回路図であり、図１の実施例における始動回路にさらにタングステンフィラメント７を接続したものである。タングステンフィラメント７以外の符号および機能動作は図１に示すものと同様である。本実施例では、外球内真空の高圧ナトリウムランプなどにおいて、封入物が外球内に漏れた場合に、高温のフィラメントから熱電子を放出し放電しやすいのを利用し、フィラメント７と対極との放電によりフィラメント７を溶断し始動回路を遮断せんとするものである。また、さらに放電しやすくするためにフィラメントにはエミッタを塗布することも可能である。
【００１５】
【発明の効果】
以上説明したように、本発明によれば、発光管始動不良時に所定時間後にパルス発生は停止され、また、自動復帰式であるのでランプが一時的に点灯し難い状態でも継続してランプの使用が可能である。さらに、発光管封入物漏れによる安定器への過電流防止機能をも有し、その工業的価値大である。
【図面の簡単な説明】
【図１】本発明高圧金属蒸気放電灯の一実施例を示す回路図
【図２】本発明高圧金属蒸気放電灯の他の一実施例を示す回路図
【図３】従来の高圧金属蒸気放電灯の一例を示す回路図
【符号の説明】
１ 発光管
２ 第１の抵抗
３ グロー管
４ 第１のバイメタルスイッチ
５ 第２のバイメタルスイッチ
６ 第２の抵抗
７ タングステンフィラメント
【図１】
0003702309.tif 000002
【図２】
0003702309.tif 000003
【図３】
0003702309.tif 000004